(57)【特許請求の範囲】
【請求項１】
コンクリート構造体と他のコンクリート構造体との間に設けられる水平スリット内に、設置される目地材であって、
前記水平スリットの底面のうち端部側の一部には、他より低い面を形成する段差部が設けられ、
前記水平スリットの底面のうち前記段差部を除く一般部に載置される本体部材と、前記段差部に嵌合して設置される段差部材と、を備え、
前記本体部材と前記段差部材が一体構造であることを特徴とする段差付目地材。
【請求項２】
前記本体部材と前記段差部材とはそれぞれ異なる材料からなるとともに、本体部材は段差部材に比して高い耐火性能を備えた材料からなり、
前記本体部材と前記段差部材を固定して一体構造としたことを特徴とする請求項１記載の段差付目地材。
【請求項３】
前記本体部材は、材質が異なる第１層と第２層を含んで構成される積層体であって、第１層は第２層に比して高い耐火性能を備えた材料からなり、かつ第２層は第１層に比して高い弾性を備えた材料からなるとともに、第２層は底面側に設けられ、
前記本体部材と前記段差部材を固定して一体構造としたことを特徴とする請求項１又は請求項２記載の段差付目地材。
【請求項４】
前記段差部材の上面は、前記一般部の上段面よりも高い位置にあることを特徴とする請求項１記載の段差付目地材。
【請求項５】
コンクリート構造体と他のコンクリート構造体との間に設けられる水平スリット内に、段差目地材が設置された水平スリット構造であって、
前記水平スリットの底面のうち端部側の一部には、他より低い面を形成する段差部が設けられ、
前記段差目地材は、本体部材と段差部材とを備えるとともに、本体部材と段差部材が固定された一体構造であり、
前記本体部材が前記水平スリットの底面のうち前記段差部を除く一般部に載置され、前記段差部材が前記段差部に嵌合して設置されたことを特徴とする段差付目地材を備えた水平スリット構造。
【請求項６】
前記本体部材と前記段差部材とはそれぞれ異なる材料からなるとともに、本体部材は段差部材に比して高い耐火性能を備えた材料からなり、
前記本体部材が水平スリット底面のうち前記一般部に載置され、前記段差部材が前記段差部に嵌合して設置されたことを特徴とする請求項５記載の段差付目地材を備えた水平スリット構造。
【請求項７】
前記本体部材は、材質が異なる第１層と第２層を含んで構成される積層体であって、第１層は第２層に比して高い耐火性能を備えた材料からなり、かつ第２層は第１層に比して高い弾性を備えた材料からなり、
前記第２層が水平スリット底面に接触するように前記本体部材が前記一般部に載置されるとともに、前記段差部材が前記段差部に嵌合して設置されたことを特徴とする請求項５又は請求項６記載の段差付目地材を備えた水平スリット構造。
【発明の詳細な説明】
【技術分野】
【０００１】
本願発明は、集合住宅などで代表されるコンクリート建造物を構成する、壁体、柱部、梁部、床部など（以下、これらを総称して「コンクリート構造体」という。）が、上下に隣接する箇所に設けられる水平スリットに関するものであり、より具体的には、段差のある水平スリットに設置される段差付目地材と、これを備えた水平スリット構造に関するものである。
【背景技術】
【０００２】
我が国は地震が頻発する国として知られ、近年では、東北地方太平洋沖地震や、兵庫県南部地震、新潟県中越地震など大きな地震が発生し、そのたびに甚大な被害を被っている。一方で、オフィスビルやマンションなどコンクリート建造物の高層化は進み、その結果、耐震構造や免震構造など地震への対策技術も進んできた。
【０００３】
コンクリート建造物の地震対策の一つとして、壁体を天井側スラブで吊り下げる「吊り下げ工法」が知られている。図６は、この吊り下げ工法によって構築された壁体を示す正面図である。この図に示すように、壁体ａは天井スラブｂによってのみ固定され、下端側の床スラブｃとの間には狭小な隙間である水平スリットｄが設けられるとともに、両側の柱部ｅとの間には鉛直スリットｆが設けられる。これにより、壁体ａと床スラブｃ、及び壁体ａと柱部ｅは、不連続な構造（いわゆる、「縁切り」）となっている。このように、壁体ａと周囲のコンクリート構造体とが「縁切り」されているので、例えば柱部ｅは地震時に独立して挙動する結果、壁体ａの挙動によって曲げモーメントやせん断力を受けることがない。
【０００４】
図６に示す水平スリットｄには、通常、壁体ａと同等の防水性、防塵性、防音性等を確保する目的で、目地材が設置される。図６では、壁体ａ下部の水平スリットｄに水平配置の目地材ｇが設置され、鉛直スリットｆには鉛直配置の目地材ｈが設置されている。これら目地材ｇ（目地材ｈ）は、防水性、防塵性、防音性等を確保するため、水平スリットｄ（鉛直スリットｆ）を封止すべく、その空間を埋めるように配置される。
【０００５】
また水平スリットには、外部からの水の侵入を防ぐため、図７（ｃ）に示すように段差部ｉを設けることがある。この段差部ｉは、水平スリットｄの一部を構成するものであって、その底面は他の底面部よりも一段低く形成されている。また、水の侵入防止という目的から、外部との境界、すなわち水平スリットｄのうち端部側（周縁側）に段差部ｉは設けられる。
【０００６】
従来、段差部ｉのある水平スリットｄを施工するにあたっては、煩雑な手順を要していた。その手順について図７に基づいて説明する。なお図７は、図６に示すＸ−Ｘ矢視の断面図である。
【０００７】
まず図７（ａ）に示すように、型枠ｊに目地棒ｋを取り付けた後、長釘ｍで段差部目地材ｄ１を型枠ｊに縫い付ける。この段差部目地材ｄ１には、塩化ビニル製の水返しｎが取り付けられることが多い。
【０００８】
次に図７（ｂ）に示すように、コンクリートを打設する。段差部目地材ｄ１を設置したままコンクリート打設することによって、コンクリートの仕上がり面には上部面と下部面からなる段差が設けられる。
【０００９】
コンクリート養生後に、図７（ｃ）に示すように、コンクリートの上部面に上部目地材ｄ２が載置される。このとき、段差部目地材ｄ１と上部目地材ｄ２が一部ラップするように配置される。そして、上部目地材ｄ２の上部に載せるように鉛直の目地材ｈが設置され、壁体ａ、天井スラブｂ、柱部ｅの施工が行われる。なお、段差部目地材ｄ１と鉛直目地材ｈとの間にできる隙間部（図７（ｃ））には、水の侵入防止を確実にするため防水キューブｏが設置される。
【００１０】
このように上下に２つの目地材を配置した段差付の水平スリットは、特許文献１（特に図１１）でも開示されており、例えば庇などが上部にない雨掛かり部の外壁に有効であるとしている。
【先行技術文献】
【特許文献】
【００１１】
【特許文献１】特許特開２００３−１０５８７２号公報
【発明の概要】
【発明が解決しようとする課題】
【００１２】
図７（ａ）〜（ｃ）で説明したように、従来では、段差部ｉのある水平スリットｄを施工するにあたって極めて煩雑な手順を要していた。特に、段差部目地材ｄ１と上部目地材ｄ２の２つの目地材を設置する必要があるうえに、両者をラップさせるため目地材の設置位置にも気を配らなければならなかった。
【００１３】
また、段差部目地材ｄ１と上部目地材ｄ２それぞれで、防水機能と耐火機能を発揮させるため、両目地材ともにこれらの機能を兼ね備えた材料を使用しなければならず、コストを引き上げる一因となっていた。
【００１４】
本願発明の課題は、従来技術が抱える問題を解消することである。すなわち、段差部ｉのある水平スリットｄの施工を容易ならしめ、かつ工費を低減させ得る段差付目地材、及びこれを備えた水平スリット構造を提供することにある。
【課題を解決するための手段】
【００１５】
本願発明は、段差部が設けられた水平スリットに嵌合し、しかも上下に分離されない（つまり一体構造の）目地材を設置するという点に着目してなされたものであり、また、防水機能と耐火機能を各部材に分けて分担させるに点に着眼して開発されたものである。
【００１６】
本願発明の段差付目地材は、コンクリート構造体と他のコンクリート構造体との間に設けられる水平スリット内に設置される目地材であって、前記水平スリットの底面のうち端部側の一部には他より低い面を形成する段差部が設けられ、前記水平スリットの底面のうち前記段差部を除く一般部に載置される本体部材と、前記段差部に嵌合して設置される段差部材とを備え、前記本体部材と前記段差部材が一体構造となっているものである。
【００１７】
本願発明の段差付目地材は、前記本体部材と前記段差部材とはそれぞれ異なる材料からなるとともに本体部材は段差部材に比して高い耐火性能を備えた材料からなり、前記本体部材と前記段差部材を固定して一体構造となったものとすることもできる。
【００１８】
本願発明の段差付目地材は、前記本体部材が材質が異なる第１層と第２層を含んで構成される積層体であって、第１層は第２層に比して高い耐火性能を備えた材料からなり、かつ第２層は第１層に比して高い弾性を備えた材料からなるとともに第２層は底面側に設けられ、前記本体部材と前記段差部材を固定して一体構造となったものとすることもできる。
【００１９】
本願発明の水平スリット構造は、コンクリート構造体と他のコンクリート構造体との間に設けられる水平スリット内に段差目地材が設置された水平スリット構造であって、前記水平スリットの底面のうち端部側の一部には他より低い面を形成する段差部が設けられ、前記段差目地材は本体部材と段差部材とを備えるとともに本体部材と段差部材が固定された一体構造であり、前記本体部材が前記水平スリットの底面のうち前記段差部を除く一般部に載置され、前記段差部材が前記段差部に嵌合して設置された構造である。
【００２０】
本願発明の水平スリット構造は、前記本体部材と前記段差部材とはそれぞれ異なる材料からなるとともに本体部材は段差部材に比して高い耐火性能を備えた材料からなり、前記本体部材が水平スリット底面のうち前記一般部に載置され、前記段差部材が前記段差部に嵌合して設置された構造とすることもできる。
【００２１】
本願発明の水平スリット構造は、前記本体部材は材質が異なる第１層と第２層を含んで構成される積層体であって、第１層は第２層に比して高い耐火性能を備えた材料からなり、かつ第２層は第１層に比して高い弾性を備えた材料からなり、前記第２層が水平スリット底面に接触するように前記本体部材が前記一般部に載置されるとともに前記段差部材が前記段差部に嵌合して設置された構造とすることもできる。
【発明の効果】
【００２２】
本願発明の段差付目地材、及び段差付目地材を備えた水平スリット構造には、次のような効果がある。
（１）段差付目地材は、本体部材と段差部材が一体構造となったものであって、従来のように分離したものではないので、設置手間が軽減され、つまり容易に目地材を水平スリットに設置することができる。
（２）段差部材に防水機能を、本体部材に耐火機能を、それぞれ分担させることで、両方に高機能の材料を使用する必要がなく、材料にかかるコストが軽減できる。
（３）段差部材が防水機能を、本体部材が耐火機能を、それぞれ発揮することで、水平スリットとしても確実な防水機能と耐火機能を期待することができる。
（４）本体部材を２層の積層構造とし第２層体を高い弾性を備えた材料からなるものとすれば、既構築コンクリート構造体の不陸面に設置する場合であっても、第２層が不陸に対応して、スリットの空隙を確実に封止することが可能となる。
【図面の簡単な説明】
【００２３】
【図１】段差が設けられた水平スリットに本願発明の段差付目地材が設置された状態を示す断面図。
【図２】（ａ）は床スラブが構築された段階を示す第１ステップ図、（ｂ）は桟木が取り除かれた段階を示す第２ステップ図、（ｃ）は段差付目地材が設置された段階を示す第３ステップ図、（ｄ）は鉛直目地材が設置された段階を示す第４ステップ図。
【図３】段差付目地材の上に鉛直目地材を設置した状態を示す斜視図。
【図４】出隅に段差部材が設けられた場合のコーナー部を示す斜視図。
【図５】入り隅に段差部材２１が設けられた場合のコーナー部を示す斜視図。
【図６】吊り下げ工法によって構築された壁体を示す正面図。
【図７】（ａ）は型枠に目地棒と段差部目地材を取り付けた段階の第１ステップ図、（ｂ）はコンクリートを打設した段階の第２ステップ図、（ｃ）はコンクリートの上部面に上部目地材が載置された段階の第３ステップ図。
【発明を実施するための形態】
【００２４】
［実施形態］
本願発明の段差付目地材、及び段差付目地材を備えた水平スリット構造の一実施形態を図に基づいて説明する。
【００２５】
まず、本願発明の段差目地材が設置された状態について簡単に説明する。図１は、段差が設けられた水平スリット１０に本願発明の段差付目地材２０が設置された状態を示す断面図である。この図に示すように水平スリット１０は、床スラブ３０のように下方に据えられるコンクリート構造体と、壁体（図１では示さない）のように上方に配置されるコンクリート構造体との間に設けられる水平配置の隙間であり、この隙間内を埋めるように、すなわち水平スリット１０を封止すべく段差付目地材２０が設置される。
【００２６】
また、図１の水平スリット１０の底面には段差が設けられている。水平スリット１０の底面は、すなわち床スラブ３０の上面であり、図１に示すように床スラブ３０の上面は２段の面を形成している。換言すれば、床スラブ３０は、他より低い面を形成する段差部３１と、この段差部３１を除く一般部３２で形成されている。なお便宜上、段差部３１の上面を下段面３１ｈ、一般部３２の上面を上段面３２ｈ、下段面３１ｈと上段面３２ｈの境界にある鉛直面を境界面３２ｖと呼ぶこととする。
【００２７】
水平スリット１０に段差部３１を設ける場合、外部からの水の侵入を防ぐという目的から、通常はコンクリート建造物（屋内）と外部（屋外）との境界、つまり水平スリット１０のうち端部側（図１では左側）に段差部３１は設けられる。すなわち、図１に示す段差部３１の外側に形成される鉛直面３１ｖは、外壁表面と同一面となるのが一般的である。
【００２８】
このように段差部３１を設けることで、たとえ外部から水平スリット１０内に水が侵入したとしても上段面３２ｈまで水が遡上することは考えにくく、さらに段差付目地材２０が防水機能を有するため、コンクリート建造物内に水が侵入するのを確実に防止できるわけである。なお、ここでは吊り下げ工法の水平スリット１０を例示して説明しているが、本願発明はこの工法における水平スリット１０に限定されるものではなく、コンクリート構造体が上下に隣接する水平スリット部分、例えば、腰壁やたれ壁とスラブとの水平取り合い部分、あるいは帆立て壁の水平取り合い部分など、種々のコンクリート構造体が上下に隣接する水平スリット部分で実施できる。
【００２９】
（積層目地材）
次に、段差付目地材２０の構成について詳細に説明する。図１に示すように、段差付目地材２０は、段差部３１に設置される段差部材２１と、一般部３２に設置される本体部材２２と、で形成されている。段差部材２１と本体部材２２は一体構造であり、一体の物として水平スリット１０に設置される。例えば、段差部材２１と本体部材２２は製造段階から一体に成形されて、あるいは段差部材２１と本体部材２２が別体として製造されたのち両者が接着その他の手段で固定されて、段差部材２１と本体部材２２は一体構造とされる。
【００３０】
段差部材２１は、段差部３１に嵌合するように設置される。具体的には、段差部材２１の底面が下段面３１ｈの上に接触するとともに、段差部材２１の背面（鉛直面）が境界面３２ｖと接触するように、段差部材２１は設置される。また、本体部材２２の底面が上段面３２ｈの上に接触するように、本体部材２２は一般部３２の上に載置される。なお図１では、段差部３１に嵌合するように、段差部材２１の形状はＬ字形状となっているが、段差部材２１の底面が下段面３１ｈに接触し、かつ段差部材２１の背面が境界面３２ｖに接触すれば、段差部材２１の形状は任意形状とすることができる。
【００３１】
段差部材２１と本体部材２２は、それぞれ同じ材質とすることもできるし、異なる材質とすることもできる。つまり、段差部材２１と本体部材２２の材質を異なるものとし、それぞれが担う機能を分けることもできる。水平スリット１０が、火災の際に上下階の火炎の侵入を遮断する（あるいは遅らせる）ことを目的の一つとしていることを考えれば、本体部材２２は耐火機能が要請され、この機能を発揮しやすい材料で形成される必要がある。一方、段差部３１が、外部からの水の侵入を防ぐことを目的の一つとしていることを考えれば、段差部材２１は防水機能が要請され、この機能を発揮しやすい材料で形成される必要がある。
【００３２】
本体部材２２に耐火機能が要請される場合、その材料として、炭酸カルシウム発泡体、ロックウール、セラミックファイバー、ケイ酸カルシウムなどを例示することができる。このほか、鉄や合金など金属類も挙げられるが、製造コストの面や重さによる施工性の面で、その採用には慎重な検討を要する。また、段差部材２１に防水機能が要請される場合、その材料として、ポリエチレン（ＰＥ）やポリプロピレン（ＰＰ）といった樹脂を例示することができる。
【００３３】
段差部材２１の材料としてＰＥやＰＰといった樹脂を採用した場合、下段面３１ｈの表面にできる不陸に追随することができるという効果を奏するので、なお好適である。通常、コンクリート打設後はその上面が金コテ等で入念に均されるが、人によって完全に均すことは不可能なので、床スラブ３０の上面（下段面３１ｈや上段面３２ｈ）には不陸（凹凸面）が残る。その不陸の上に、変形し難い平坦面を載せると、小さな隙間が残ってしまい、防水性や耐火性を損なう要因となってしまう。ところが、ＰＥやＰＰといった樹脂は高い弾性（容易に弾性変形する性能）を有しているので、コンクリート表面の不陸にも追随して変形し、隙間を残さない。
【００３４】
本体部材２２の材料として炭酸カルシウム発泡体、ロックウール、セラミックファイバー、ケイ酸カルシウムなど耐火性能の高いものを採用した場合、その弾性はあまり高くないので、上段面３２ｈの不陸上に本体部材２２を載置すると、凸上に高止まりして小さな隙間が残ってしまい、防水性や耐火性を損なうこととなる。
【００３５】
そこで、図１に示すように、本体部材２２を第１層体２２ａと第２層体２２ｂの積層構造とすることができる。つまり、第１層体２２ａは、炭酸カルシウム発泡体やロックウールなど第２層体２２ｂに比して高い耐火性能を備えた材料とし、第２層体２２ｂは、ＰＥやＰＰ.など第１層に比して高い弾性を備えた材料とし、かつ第２層体２２ｂを底面側とする。これによって、上下階の火炎侵入を防止する耐火性能を発揮するとともに、上段面３２ｈの不陸に追随することができるという効果を奏するので、さらに好適となる。
【００３６】
（構造とその施工手順）
次に、段差付目地材２０が設置された水平スリット構造と、その施工手順について説明する。図２（ａ）〜（ｄ）は、段差付目地材２０が設置された水平スリット構造を施工する順序を示すステップ図であり、（ａ）は床スラブ３０が構築された段階を示す第１ステップ図、（ｂ）は桟木が取り除かれた段階を示す第２ステップ図、（ｃ）は段差付目地材２０が設置された段階を示す第３ステップ図、（ｄ）は鉛直目地材が設置された段階を示す第４ステップ図である。
【００３７】
まずは、図２（ａ）に示すように、型枠４と鉄筋（図示しない）を組み立て、コンクリートを打設して床スラブ３０を構築する。このとき、型枠４の所定位置に桟木５を固定しておく。
【００３８】
次に、図２（ｂ）に示すように、コンクリート打設後に桟木５を取り除く。桟木５を取り除いた空間部が段差部３１である。
【００３９】
続いて、図２（ｃ）に示すように、一体構造の段差付目地材２０を水平スリット１０に設置する。このとき、段差部材２１が段差部３１に嵌合するように、本体部材２２が一般部３２に載置されるように設置される。なお、段差付目地材２０を設置する前に、型枠４の所定位置に目地棒６を取り付けておくこともできる。
【００４０】
最後に、上方に構築されるコンクリート構造体（図示しない）の施工を行い、段差付目地材２０が設置された水平スリット構造が完成する。なお図２（ｄ）に示すように、所定箇所には、段差付目地材２０の上に載せるように鉛直目地材７０が設置される。図３は、段差付目地材２０の上に鉛直目地材７０を設置した状態を示す斜視図である。この図に示すように、鉛直目地材７０は、断面視で略Ｈ形状の係止材７１（例えば、硬質塩化ビニル製）と芯材７２（例えば、補強紙付のポリスチレンフォーム、あるいは補強紙付の炭酸カルシウム発泡体、など）からなるもので、両端に配置された係止材７１によって芯材７２が挟持された構成となっている。なお、係止材７１のうち芯材７２を把持していない側の空間内には、型枠４に取り付けられた鉛直方向に延びる目地棒（図示しない）が挿入されることが多い。
【００４１】
図２（ｄ）や図３に示すように、段差部材２１をＬ字形状とすることによって形成される空間部には、鉛直目地材７０の係止材７１を立設させることができる。つまり、鉛直目地材７０の両側の係止材７１の長さ（下方突出し長さ）を変えて、長い方の係止材７１を段差部材２１上に載置させ、短い方の係止材７１を本体部材２２上に載置させる。
【００４２】
（コーナー部）
図４及び図５は段差付目地材２０を設置するコーナー部を示す斜視図であり、図４は出隅に段差部材２１が設けられた場合のコーナー部を示す斜視図、図５は入り隅に段差部材２１が設けられた場合のコーナー部を示す斜視図である。
【００４３】
図４及び図５に示すように、入り隅や出隅といったコーナー部には特殊形状の段差付目地材２０（以下、「役物２０ｓ」という。）を配置すると、全体を容易に納めることができる。このように役物２０ｓを設置することで、コーナー部であっても連続性に優れた構造となるうえ、設置手間も軽減されて極めて好適である。また、仮に役物３０ａの寸法が予定より長く（あるいは短く）なったとしても、段差付目地材２０を現地で切断して長さ調整することで、適切に対応することができる。
【産業上の利用可能性】
【００４４】
本願発明の  段差付目地材、及び段差付目地材を備えた水平スリット構造は、マンションなどの集合住宅やオフィスビルで利用できるほか、校舎や倉庫などあらゆる建築構造物で利用することが可能であり、橋台と橋桁の間、あるいは場所打ちコンクリート基礎上にプレキャスト構造物を設置する場合など、土木構造物の分野でも応用することができる。
【符号の説明】
【００４５】
１０    水平スリット
２０    段差付目地材
２１    段差部材
２２    本体部材
２２ａ  第１層体
２２ｂ  第２層体
２０ｓ  役物
３０    床スラブ
３１    段差部
３１ｈ  下段面
３１ｖ  鉛直面
３２    一般部
３２ｈ  上段面
３２ｖ  境界面
４      型枠
５      桟木
６      目地棒
７０    鉛直目地材
７１    係止材
７２    芯材
ａ    壁体
ｂ    天井スラブ
ｃ    床スラブ
ｄ    水平スリット
ｄ１  段差部目地材
ｄ２  上部目地材
ｅ    柱部
ｆ    鉛直スリット
ｇ    （水平配置の）目地材
ｈ    （鉛直配置の）目地材
ｉ    段差部
ｊ    型枠
ｋ    目地棒
ｍ    長釘
ｎ    水返し
ｏ    防水キューブ
【図１】
0005743825.tif 000002
【図２】
0005743825.tif 000003
【図３】
0005743825.tif 000004
【図４】
0005743825.tif 000005
【図５】
0005743825.tif 000006
【図６】
0005743825.tif 000007
【図７】
0005743825.tif 000008